(57)【要約】【課題】本発明は、配管の排水勾配を確保しつつ、配管スペースのデッドスペースが小さくてすみ、しかも生ゴミ処理機の設置の手間が少なくてディスポーザーとの接続もし易いうえ、生ゴミ処理機を設置しても底板の変形が抑制できるキッチンキャビネットを提供することを目的とする。【解決手段】本発明は、シンクと、このシンクの下に扉と底板と背板と配管スペースとを備えるキャビネットとを有し、このキャビネットの内部にディスポーザーと生ゴミ処理機とを収納するキッチンキャビネットにおいて、前記配管スペースが前記キャビネット内の背板の下部に隣接して設けられ、前記底板が前記配管スペースを除いた前記キャビネットの底部に設けられ、前記生ゴミ処理機が前記配管スペースと前記底板を有する領域とに跨って設置されたキッチンキャビネットである。【選択図】  図１
2008093246.tif 000002
【特許請求の範囲】
【請求項１】
シンクと、このシンクの下に扉と底板と背板と配管スペースとを備えるキャビネットとを有し、このキャビネットの内部にディスポーザーと生ゴミ処理機とを収納するキッチンキャビネットにおいて、前記配管スペースが前記キャビネット内の背板の下部に隣接して設けられ、前記底板が前記配管スペースを除いた前記キャビネットの底部に設けられ、前記生ゴミ処理機が前記配管スペースと前記底板を有する領域とに跨って設置されたキッチンキャビネット。
【請求項２】
請求項１において、配管スペースがキャビネットの背板の最下部から底板の上方に亘って設けられ、キャビネットの底板の一部に高さ調整板を設け、この高さ調整板の上面と前記配管スペースの天板とが略面一となるキッチンキャビネット。
【請求項３】
請求項１または請求項２において、高さ調整板の奥行方向のサイズが、配管スペースの前板からキャビネットの底板の扉側の端部までであり、高さ調整板の幅方向のサイズが生ゴミ処理機の幅と略等しいキッチンキャビネット。
【発明の詳細な説明】
【技術分野】
【０００１】
本発明は、生ゴミ処理機とディスポーザーを備えるキッチンキャビネットに関するものである。
【背景技術】
【０００２】
野菜くずや魚の骨などの生ごみを粉砕するディスポーザーは、生ゴミ処理の手間が省けると同時に、ゴミ出しの量が減るので、地球環境にも優しいと注目されている。また、乾燥や微生物で分解すること等により生ゴミを処理する生ゴミ処理機は、生ゴミを減らしたり、悪臭を少なくしたりできる。このような利便性などから、これらの機器を備えたキッチンキャビネットが急速に普及している。
【０００３】
ディスポーザーを備えたキッチンキャビネットとしては、キッチンキャビネットと建物の床との間に台輪を設置し、ディスポーザーからの排水配管などをこの台輪で囲まれたスペースに収めることで、面倒な床下配管作業を少なくし、根太との干渉をなくしたキャビネットが知られている（特許文献１）。
【０００４】
また、生ゴミ処理機を、キッチンキャビネットの非作業側に設けた対面ユニット内に設置したり、キャビネットの底板よりも下側の領域に設けられた蹴込み部分の裏面側領域に生ゴミ処理機を設置して、キャビネットの収納空間を確保したキッチンキャビネットが知られている（特許文献２）。
【特許文献１】特開２０００−２２０１７４号公報
【特許文献２】特開２００５−１１０９８０号公報
【発明の開示】
【発明が解決しようとする課題】
【０００５】
しかしながら、特許文献１のキッチンキャビネットでは、建物の床とキッチンキャビネットの底部との間に台輪を設けるが、配管の収納に要するのは台輪で囲まれてできたスペースの一部であるため、その他の部分はデッドスペースとなる問題がある。特に、シンクからの排水配管を横方向に引き回す必要がある場合、排水勾配を確保するためには、台輪を高くする必要があり、ますますデッドスペースが大きくなる問題がある。さらに、生ゴミ処理機を設置する場合には、一般に重量が約２０ｋｇと重いので、底板が変形する問題がある。
【０００６】
また、特許文献２のキッチンキャビネットでは、対面ユニットがない場合には対応できず、また、キャビネットの底板よりも下側の蹴込み部分の裏面側領域に生ゴミ処理機を設置する場合、底板を加工する必要があるため、取付け作業が面倒になる問題がある。また、シンクの排水口１７やディスポーザーからの排水配管と生ゴミ処理機との接続の際に汎用の配管や接続部材を使用することを考慮すると、生ゴミ処理機を設置する位置が前後左右に調整できることが必要であるが、底板に開口を設けて生ゴミ処理機を設置すると、開口を大きく開けない限り、このような調整はできない。一方、開口を大きくすると、底板の上に物を収納する際、この開口に落下するおそれがある。
【０００７】
本発明は、このような問題を解決するためになされたものであり、配管の排水勾配を確保しつつ、配管スペースのデッドスペースが小さくてすみ、しかも生ゴミ処理機の設置の手間が少なくてディスポーザーとの接続もし易いうえ、生ゴミ処理機を設置しても底板の変形が抑制できるキッチンキャビネットを提供することを目的とする。
【課題を解決するための手段】
【０００８】
本発明は、以下のものに関する。
（１）  シンクと、このシンクの下に扉と底板と背板と配管スペースとを備えるキャビネットとを有し、このキャビネットの内部にディスポーザーと生ゴミ処理機とを収納するキッチンキャビネットにおいて、前記配管スペースが前記キャビネット内の背板の下部に隣接して設けられ、前記底板が前記配管スペースを除いた前記キャビネットの底部に設けられ、前記生ゴミ処理機が前記配管スペースと前記底板を有する領域とに跨って設置されたキッチンキャビネット。
（２）  （１）において、配管スペースがキャビネットの背板の最下部から底板の上方に亘って設けられ、キャビネットの底板の一部に高さ調整板を設け、この高さ調整板の上面と前記配管スペースの天板とが略面一となるキッチンキャビネット。
（３）  （１）または（２）において、高さ調整板の奥行方向のサイズが、配管スペースの前板からキャビネットの底板の扉側の端部までであり、高さ調整板の幅方向のサイズが生ゴミ処理機の幅と略等しいキッチンキャビネット。
【発明の効果】
【０００９】
本発明によれば、配管の排水勾配を確保しつつ、配管スペースのデッドスペースが小さくてすみ、しかも生ゴミ処理機の設置の手間が少なくてディスポーザーとの接続もし易いうえ、生ゴミ処理機を設置しても底板の変形が抑制できるキッチンキャビネットが提供できる。
【発明を実施するための最良の形態】
【００１０】
本発明のキッチンキャビネットは、一般住宅用あるいは業務用に用いられるもので、キッチンで発生する生ゴミの処理の手間が省け、また、生ゴミの量を低減できるようにするため、ディスポーザーと生ゴミ処理機をシンク下のキャビネット内部に設けたものである。本発明のキッチンキャビネットの一例を、図１および図２に示す。
【００１１】
図１に示すように、シンク１は、カウンター１３上に設けられ、このシンク１の排水口１７に流された生ゴミがディスポーザー７で粉砕され、生ゴミ処理機８で処理される。生ゴミとともにシンク１に流された水は、排水用の配管１４を通って排水される。
【００１２】
図１に示すように、キャビネット６は、このシンク１の下に設けられ、扉２と底板３と背板４と配管スペース５とを備えるキャビネット６が設けられている。扉２は、前面方向に開くようにキャビネット６の前面に取り付けられる。配管スペース５は、キャビネット６内の背板４の下部に隣接した位置に設けられる。底板３は、キャビネット６の蹴込み部１０の上部の配管スペース５を除いたキャビネット６底部に設けられ、その上部に収納スペース１５が設けられる。
【００１３】
図１および図２に示すように、キャビネット６の内部には、ディスポーザー７と生ゴミ処理機８とを収納している。ここで言うディスポーザー７とは、一般に、家庭用の生ごみ粉砕機のことで、野菜くずや魚の骨などの生ごみをくだく機器である。また、ここで言う生ゴミ処理機８とは、家庭用のものであり、いくつかの方式があるが、一般に、乾燥したり、微生物で分解すること等により、生ゴミを処理する機器である。これらのような機器としては、例えば、ディスポーザー７と生ゴミ処理機８がセットとなった株式会社泉精器製作所製のＩＣＴ−１８１ＵＲなどを用いることができる。キッチンキャビネット１８に、このようなディスポーザー７と生ゴミ処理機８が取付けられることにより、生ゴミ処理の手間が省けると同時に、ゴミ出しの量が減り、さらに、乾燥等によって悪臭もなくすことができる。
【００１４】
図２に示すように、ディスポーザー７の入り口はシンク１の排水口１７に接続され、その出口は配管１４により生ゴミ処理機８の入り口に接続される。この配管１４は、ディスポーザー７の出口から生ゴミ処理機８の入り口までが下り勾配を有するように設けられる。生ゴミ処理機８の出口に接続された配管１４は、配管スペース５を通って排出される。
【００１５】
図２に示すように、配管スペース５は、生ゴミ処理機８から排出された水などを、建築物の排水接続管まで導くため、図２の横方向に引き回す配管１４（破線）を収納する。この際、図１に示すように、配管スペース５がキャビネット６の背板４の最下部から底板３の上方に亘って設けられるのが望ましい。これにより、配管スペース５の上下方向の長さを確保することができるため、配管スペース５内での建築物の排水接続管までの排水勾配、つまり図２の横方向に引き回された配管１４（破線）の排水勾配、及び接続スペースを確保することができる。一方で、配管スペース５の前板１１より前方の底板３は低い位置を維持できるため、キャビネット６の収納スペース１５を確保できる。
【００１６】
図１に示すように、ディスポーザー７は、シンク１の排水口１７に取付けて固定され、生ゴミ処理機８は、底板３の上に設けられた高さ調整板９の上に設置される。このとき、生ゴミ処理機は、配管スペース５と底板３の領域に跨って設置される。このように、生ゴミ処理機を配置することにより、図２に示すように、生ゴミ処理機８をキャビネット６の背板４側の方向、即ちより奥に設置することができ、その結果、キャビネット６の収納スペース１５がより大きく確保できる。特に、キャビネット６の前方の扉２の内側のスペースが確保できるため、この扉２の内側に包丁などを収納するための収納ポケット１６などを設けることができ、使い勝手を向上させることができる。
【００１７】
図１に示すように、キャビネット６の底板３の一部に高さ調整板９を設け、この高さ調整板９の上面が、配管スペース５の天板１２と略面一か、または天板１２よりも高くとするのが望ましい。これにより、生ゴミ処理機８をキャビネット６内に設置する際に、高さ調整板９上を滑らせるようにして、キャビネット６の奥へ移動することができ、生ゴミ処理機８の設置作業が容易になる。つまり、高さ調整板９の方が、配管スペース５の天板１２よりも高いので、生ゴミ処理機８が配管スペース５の天板１２にぶつかったり、引っかかったりすることがないため、スムーズに移動できる。しかも、配管スペース５の天板１２は底板３よりも高い位置のままであり、即ち、配管スペース５の上下方向の長さがそのままであるため、図２の横方向に配管１４を引き回す場合でも、排水勾配を確保することができる。
【００１８】
図１に示すように、高さ調整板の奥行方向のサイズが、配管スペース５の前板１１からキャビネット６の底板３の扉２側の端部までであり、高さ調整板９の幅方向のサイズが生ゴミ処理機８の幅と略等しいのが望ましい。
【００１９】
図１に示すように、これにより、配管スペース５の前板１１からキャビネット６の底板３の扉２側の端部までがフラットとなり、生ゴミ処理機８をキャビネット６内に設置する際、生ゴミ処理機８の奥側を高さ調整板９の扉２側の端部に載せた後は、そのままキャビネット６の奥方向へ生ゴミ処理機８を押し込むだけで、生ゴミ処理機８を設置することができ、作業が容易となる。また、図２に示すように、必要な領域の高さだけを高さ調整板９で調整できるので、必要以上の領域に高さ調整板９を設置してキャビネット６内のデッドスペースを増加させることがない。さらに、生ゴミ処理機８の位置が、高さ調整板９上で水平方向に前後左右の位置調整が可能であるため、ディスポーザー７からの配管１４や配管スペース５への配管１４の際、位置合わせが容易でこれらの機器との接続がし易い。しかも、このことによって、シンク１の排水口１７とディスポーザー７と生ゴミ処理機８との位置関係や距離に合せた配管や部材を、設置の度に準備する必要がなく、例えば生ゴミ処理機８に標準で付属するものや汎用の配管や部材を使用することができるため、コストを低減できる。
【００２０】
高さ調整板９の厚みは、キャビネット６の底板３の高さと配管スペース５の天板１２の高さの違い、および、生ゴミ処理機８の重量を考慮して設定される。つまり、キャビネット６の底板３上に置かれたとき、高さ調整板９の上面の高さが、配管スペース５の天板１２の高さと略面一か、より高くなるように設定される。また、一般に２０ｋｇ以上の重量となる生ゴミ処理機を長期間設置しても、高さ調整板９の変形を抑制できるように設定される。このときの高さ調整板９の厚みは、材質にもよるが、ラワン合板とパーチクルボードの複合材の場合、１５ｍｍから５０ｍｍ程度が望ましい。これ以下の厚さの場合は、高さ調整板９の変形が大きくなるおそれがあり、これ以上ではキャビネット６内の収納スペース１５の減少が大きい。
【実施例】
【００２１】
本発明のキッチンキャビネット１８の実施例を図１および図２に示す。本実施例のキッチンキャビネット１８は、一般住宅や業務用の生ゴミを扱うキッチンキャビネット１８として設置され、用いられるものである。
【００２２】
図１に示すように、シンク１はカウンター１３上に設けられ、このシンク１の排水口１７に流された生ゴミがディスポーザー７で粉砕され、生ゴミ処理機８で処理される。生ゴミとともにシンク１に流された水は、排水用の配管１４を通って排水される。
【００２３】
図１に示すように、キャビネット６は、このシンク１の下に設けられ、扉２と底板３と背板４と配管スペース５とを備えるキャビネット６が設けられている。扉２は、前面方向に開くようにキャビネット６の前面に取り付けられる。底板３は、キャビネット６の蹴込み部１０の上部の配管スペース５を除いたキャビネット６底部に設けられ、その上部に収納スペース１５が設けられる。配管スペース５は、キャビネット６内の背板４の下部に隣接した位置に設けられる。
【００２４】
図１および図２に示すように、キャビネット６の内部には、ディスポーザー７と生ゴミ処理機８とを収納している。ディスポーザー７、及び、生ゴミ処理機８は、これらがセットとなった株式会社泉精器製作所製のＩＣＴ−１８１ＵＲを用いる。
【００２５】
図２に示すように、ディスポーザー７の入り口はシンク１の排水口１７に接続され、その出口は配管１４により生ゴミ処理機８の入り口に接続される。この配管１４は、ディスポーザー７の出口から生ゴミ処理機８の入り口までが下り勾配を有するように設けられる。生ゴミ処理機８の出口に接続された配管１４は、配管スペース５を通って排出される。
【００２６】
図２に示すように、配管スペース５は、生ゴミ処理機８から排出された水などを、建築物の排水接続管まで引き回す配管１４（図の横方向に引き回す配管１４（破線））を収納する。この際、図１に示すように、配管スペース５がキャビネット６の背板４の最下部から底板３の上方に亘って設けられる。この配管スペース５の天板１２の高さは１５０ｍｍ、配管スペース５内の奥行きは１３０ｍｍである。このとき、生ゴミ処理機８から排出された水などが、配管スペース５内で図２の横方向に約１ｍ引き回されても、排水はスムーズであった。
【００２７】
図１に示すように、ディスポーザー７は、シンク１の排水口１７に取付けて固定され、生ゴミ処理機８は、底板３の上に設けられた高さ調整板９の上に設置される。このとき、生ゴミ処理機は、配管スペース５と底板３の領域に跨って設置される。
【００２８】
図１に示すように、キャビネット６の底板３の一部に高さ調整板９を設け、この高さ調整板９の上面が、配管スペース５の天板１２よりも高くなるようにする。高さ調整板９としてパーチクルボードを用い、その厚さは３０ｍｍとした。
【００２９】
図１に示すように、高さ調整板９の奥行方向のサイズは、配管スペース５の前板１１からキャビネット６の底板３の扉２側の端部までとなる４４５ｍｍであり、高さ調整板９の幅方向のサイズは、生ゴミ処理機８の幅と略等しい２８０ｍｍとする。
【００３０】
図１に示すように、これにより、配管スペース５の前板１１から高さ調整板９の扉２側の端部までがフラットとなり、生ゴミ処理機８をキャビネット６内に設置する際、生ゴミ処理機８の奥側を高さ調整板９の扉２側の端部に載せた後は、そのままキャビネット６の奥方向へ生ゴミ処理機８を押し込むだけで、生ゴミ処理機８を設置することができ、作業が容易であった。また、図２に示すように、生ゴミ処理機８の位置が高さ調整板９上で水平方向の前後左右に調整が可能であるため、生ゴミ処理機８に標準で付属する配管や部材を使用しても、シンク１の排水口１７からそれぞれの機器および配管スペース５まで、配管１４に屈曲が生じることなく接続することができた。さらに、生ゴミ処理機８を配管スペース５に跨るまで、奥側に設置することができるため、キャビネット６の前方の扉２内側に包丁などを収納するための収納ポケット１６などを設けることができ、使い勝手を向上させることができた。
（比較例）
【００３１】
比較例のキッチンキャビネット１８を図３および図４に示す。比較例のキッチンキャビネット１８は、本発明の実施例と同様に、一般住宅や業務用の生ゴミを扱うキッチンキャビネット１８として設置され、用いられるものである。
【００３２】
図３に示すように、ディスポーザー７は、シンク１の排水口１７に取付けて固定され、生ゴミ処理機８は、底板３の上に設置される。このとき、生ゴミ処理機８は、その全体が配管スペース５の前板１１より前方の領域に設置される。また、図４に示すように、キャビネット６の底板３は、配管スペース５の天板１２より低く、段差を有している。これら以外の構成は、上述した本発明の実施例と同様である。
【００３３】
図３に示すように、配管スペース５の天板１２とキャビネット６の底板３とは段差を有しており、このため、生ゴミ処理機８はこの段差より奥へは移動できない。このため、生ゴミ処理機８の位置は、キャビネット６の底板３上で水平方向の前後左右に調整が可能であるが、図４に示すように、生ゴミ処理機８がキャビネット６の前方側に位置することになるため、扉２の内側に包丁などを収納するための収納ポケット１６を設けると生ゴミ処理機８にぶつかり、扉２を閉めることができない。また、生ゴミ処理機に標準で付属する配管や部材を使用すると、シンク１の排水口１７からそれぞれの機器および配管スペース５まで配管１４を接続する際に、配管１４に屈曲が生じてしまい、排水が困難になることがある。
【図面の簡単な説明】
【００３４】
【図１】本発明の実施例のキッチンキャビネットを側面から見た透視図である。
【図２】本発明の実施例のキッチンキャビネットを上面から見た透視図である。
【図３】比較例のキッチンキャビネットを側面から見た透視図である。
【図４】比較例のキッチンキャビネットを上面から見た透視図である。
【符号の説明】
【００３５】
推奨
１    …  シンク
２    …  扉
３    …  底板
４    …  背板
５    …  配管スペース
６    …  キャビネット
７    …  ディスポーザー
８    …  生ゴミ処理機
９    …  高さ調整板
１０    …  蹴込み部
１１    …  配管スペースの前板
１２    …  配管スペースの天板
１３    …  カウンター
１４    …  配管
１５    …  収納スペース
１６    …  収納ポケット
１７    …  排水口
１８    …  キッチンキャビネット
【図１】
2008093246.tif 000003
【図２】
2008093246.tif 000004
【図３】
2008093246.tif 000005
【図４】
2008093246.tif 000006